(57)【要約】【課題】最小限の額縁フレームを用いて、外観意匠上の見栄えを良好にする。【解決手段】メイン額縁フレーム６は、矩形状のフレーム本体９と、フレーム本体の両側側部に突出するように形成された縦縁１０と、フレーム本体の側部端部が折曲され前記縦縁内に立設された取付片１９と、フレーム本体に形成されたボックス固定用の長孔１２と、縦縁の内側側面に形成されたネジ頭部貫通孔１３とを備え、サブ額縁フレームは、フレーム本体９の一方の側部に突出するように一体に形成された縦縁１０と、フレーム本体の他方の側部に折曲形成された連結片１６とを備え、メイン額縁フレームの取付片とサブ額縁フレームの連結片をネジ留めしてユニット化し、該ユニットをメインボックスおよびサブボックスに取り付ける。【選択図】図２
2004194857.tif 000002
【特許請求の範囲】
【請求項１】
メインボックスに少なくとも１つのサブボックスを連結した連結ボックスにメイン額縁フレームとサブ額縁フレームを取り付ける取付構造であって、
前記メイン額縁フレームは、矩形状のフレーム本体と、フレーム本体の両側側部に突出するように形成された縦縁と、フレーム本体の側部端部が折曲され前記縦縁内に立設された取付片と、フレーム本体に形成されたボックス固定用の長孔と、縦縁の内側側面に形成されたネジ頭部貫通孔とを備え、
サブ額縁フレームは、矩形状のフレーム本体と、フレーム本体の一方の側部に突出するように形成された縦縁と、フレーム本体の側部端部が折曲され前記縦縁内に立設された取付片と、フレーム本体の他方の側部に折曲形成された連結片と、フレーム本体に形成されたボックス固定用の長孔と、縦縁の内側側面に形成されたネジ頭部貫通孔とを備え、
前記メイン額縁フレームの取付片とサブ額縁フレームの連結片をネジ留めしてユニット化し、該ユニットをメインボックスおよびサブボックスに取り付けることを特徴とする連結ボックスへの額縁フレームの取付構造。
【請求項２】
前記メイン額縁フレームおよびサブ額縁フレームのフレーム本体の上下に折曲形成されたパネル支持片と、該パネル支持片に形成された係合用スリットと、該係合用スリットに係合される表面パネルを備え、該表面パネルは、上面に形成された一対の調整用長孔と、該調整用長孔を介して調整ネジにより固定される係合部材を備えたことを特徴とする請求項１記載の連結ボックスへの額縁フレームの取付構造。
【発明の詳細な説明】
【０００１】
【発明の属する技術分野】
本発明は、制御機器、防犯機器などを収納するボックスの複数を連結した連結ボックスを壁内に埋め込み、この連結ボックスに額縁フレームを取り付けるための構造に関する。
【０００２】
【従来の技術】
図６は、従来の、ボックスへの額縁フレームの取付構造の例を示し、図（Ａ）に示すように、壁開口部に制御機器、防犯機器などのボックス１’を埋め込み、ボックス１’の周縁と壁開口部との隙間を塞ぐために額縁フレーム２’をボックス１’にネジ３により固定した後、図（Ｂ）に示すように、額縁フレーム２’に表面パネル４’を取り付けるようにしている。この場合、ボックス１’が一つであれば問題は生じないが、図（Ｃ）に示すように、メインボックス１に対してサブボックス１’をネジ５により横方向に連結する連結ボックスの場合には以下の問題が生じてくる。
【０００３】
図７は、壁面に向かって見た正面図を示している。すなわち、図（Ａ）に示すように、連結ボックス１、１’のそれぞれに額縁フレーム２、２’を固定する時の相対的な位置、傾きのずれにより、隣接する額縁フレーム２、２’間に隙間ｄが生じてしまい外観意匠上見栄えが悪くなってしまうという問題を有している。また、図（Ｂ）に示すように、額縁フレーム２、２’に表面パネル４、４’を取り付けた場合に隙間ｄが残ってしまう。
【０００４】
【特許文献１】特開平１１−１７３５７号公報
【０００５】
【発明が解決しようとする課題】
この問題を解決するために、連結ボックス１、１’に対して１枚の額縁フレームを用意することも考えられるが、ボックス１、１’の連結数が多くなると、それに対応する種類の額縁フレームを用意しなければならず、コストの増大を招いてしまう。
本発明は、上記従来の問題を解決するものであって、最小限の額縁フレームを用いて、外観意匠上の見栄えを良好にすることができる連結ボックスへの額縁フレームの取付構造を提供することを目的とする。
【０００６】
【課題を解決するための手段】
上記の目的を達成するために、本発明の連結ボックスへの額縁フレームの取付構造は、メインボックスに少なくとも１つのサブボックスを連結した連結ボックスにメイン額縁フレームとサブ額縁フレームを取り付ける取付構造であって、
前記メイン額縁フレームは、矩形状のフレーム本体と、フレーム本体の両側側部に突出するように形成された縦縁と、フレーム本体の側部端部が折曲され前記縦縁内に立設された取付片と、フレーム本体に形成されたボックス固定用の長孔と、縦縁の内側側面に形成されたネジ頭部貫通孔とを備え、
サブ額縁フレームは、矩形状のフレーム本体と、フレーム本体の一方の側部に突出するように形成された縦縁と、フレーム本体の側部端部が折曲され前記縦縁内に立設された取付片と、フレーム本体の他方の側部に折曲形成された連結片と、フレーム本体に形成されたボックス固定用の長孔と、縦縁の内側側面に形成されたネジ頭部貫通孔とを備え、
前記メイン額縁フレームの取付片とサブ額縁フレームの連結片をネジ留めしてユニット化し、該ユニットをメインボックスおよびサブボックスに取り付けることを特徴とする。
また、前記メイン額縁フレームおよびサブ額縁フレームのフレーム本体の上下に折曲形成されたパネル支持片と、該パネル支持片に形成された係合用スリットと、該係合用スリットに係合される表面パネルを備え、該表面パネルは、上面に形成された一対の調整用長孔と、該調整用長孔を介して調整ネジにより固定される係合部材を備えたことを特徴とする。
【０００７】
【発明の実施の形態】
以下、図面を参照しつつ本発明の実施の形態について説明する。図１は、本発明における連結ボックスへの額縁フレームの取付構造の１実施形態を示し、表側から見た斜視図である。なお、本実施形態は２つのボックスを連結した連結ボックスに額縁フレームを取り付ける例を示しているが、３つ以上のボックスを連結した連結ボックスに適用してもよい。図中、メイン額縁フレーム６は、図６（Ｃ）で説明したメインボックス１に固定し、サブ額縁フレーム７はサブボックス１’に固定するものである。
【０００８】
メイン額縁フレーム６は、矩形状のフレーム本体９と、フレーム本体９の両側側部に突出するように一体に形成された樋状の縦縁１０と、フレーム本体９の上下に突出するように折曲形成されたパネル支持片１１からなっている。フレーム本体９の四隅には、斜め方向にボックス固定用の長孔１２が形成され、縦縁１０の内側側面の上下２カ所にネジ頭部貫通孔１３が形成され、上部のパネル支持片１１には係合用スリット１４が形成され、下部のパネル支持片１１にはパネル係止孔１５が形成されている。
【０００９】
サブ額縁フレーム７は、矩形状のフレーム本体９と、フレーム本体９の一方の側部に突出するように一体に形成された樋状の縦縁１０と、フレーム本体９の他方の側部の上下に、突出するように折曲形成された連結片１６と、フレーム本体９の上下に、突出するように折曲形成されたパネル支持片１１からなっている。
【００１０】
フレーム本体９の四隅には、斜め方向にボックス固定用の長孔１２が形成され、縦縁１０には、メイン額縁フレーム６と同様に、上下２カ所にネジ挿入孔１３が形成され、上下のパネル支持片１１には係合用スリット１４が形成されるとともに、係合用スリット１４に連設してパネル係止孔１５が形成され、また、連結片１６にはネジ孔１７が形成され、サブ額縁フレーム７は上下対称の形状にされている。
【００１１】
図２（Ａ）は、図１の縦縁１０の一部を破断した状態を示す斜視図、図２（Ｂ）は、メイン額縁フレーム６とサブ額縁フレーム７を連結した状態を示す斜視図、図２（Ｃ）は連結過程を示す断面図である。なお、図１と同一の構成については同一番号を付けて説明を省略する場合がある。
メイン額縁フレーム６の縦縁１０内には、フレーム本体９の側部端部が折曲されて取付片１９が上下２カ所に立設され、取付片１９にはネジ貫通孔２０が形成されている（サブ額縁フレーム７の縦縁１０についても同様である）。
【００１２】
なお、図２（Ａ）に示すように、メイン額縁フレーム６の上部の取付片１９の上方には、これと直角に突き当て面１９ａが形成されており、サブ額縁フレーム７の連結片１６の上部を突き当て面１９ａに付き合わせることにより、メイン額縁フレーム６とサブ額縁フレーム７の位置決めを行っている。
【００１３】
次に、メイン額縁フレーム６とサブ額縁フレーム７の連結方法について説明する。図２に示すように、メイン額縁フレーム６の縦縁１０内にサブ額縁フレーム７の連結片１６を差し込み、該連結片１６のと縦縁１０の取付片１９と当接させた後、縦縁１０のネジ頭部貫通孔１３からネジ２１を差し込み、ネジ貫通孔２０、ネジ孔１７にネジ止めすることにより、メイン額縁フレーム６とサブ額縁フレーム７を連結しユニット化するようにしている。ネジ２１の頭部は縦縁１０内に収納されることになる。
【００１４】
以上のようにして連結したメイン額縁フレーム６およびサブ額縁フレーム７のユニットを、図６（Ｃ）で説明した予め壁に埋め込まれているメインボックス１、１’にボックス固定用の長孔１２を介してネジ止め固定する。この際、長孔１２により各額縁フレーム６、７とボックス１、１’の位置調整を容易に行うことができる。額縁フレームの固定が終了すると、メイン額縁フレーム６とサブ額縁フレーム７に表面パネルの取付を行う。
【００１５】
図３（Ａ）は、表面パネルを裏側から見た斜視図、図３（Ｂ）は要部分解斜視図である。表面パネル２２は箱状に形成されており、その上面に一対の調整用長孔２３が形成され、この調整用長孔２３を介して係合部材２４が調整ネジ２５により固定されている。係合部材２４には下方に折曲された係合片２４ａが形成されている。
【００１６】
図４（Ａ）は、サブ額縁フレーム７に表面パネル２２を取り付けた状態を示す図である。サブ額縁フレーム７の上部パネル支持片１１の係合用スリット１４に、表面パネル２２の係合片２４ａを係合することにより、表面パネル２２をサブ額縁フレーム７に取り付けることができ、また、表面パネル２２の下面には、留めネジ２６が設けられており、留めネジ２６を下部パネル支持片１１のパネル係止孔１５に係止させることにより、表面パネル２２の下部を固定するようにしている。なお、メイン額縁フレーム６についても同様にして表面パネル２２を取り付ける。
【００１７】
表面パネル２２を取り付ける場合、額縁フレームのボックスへの固定位置によっては、図５に示すように、表面パネル２２の左右で額縁フレーム６、７との隙間ｄの大きさが異なる場合がある。その場合には、調整ネジ２５を緩めて図３の係止部材２４を調整用長孔２３内で摺動させることにより、係合部材２４を図３で右方に移動させ、表面パネル２２の位置を調整することができる。
【００１８】
図４（Ｂ）、（Ｃ）は、表面パネル２２の取り外し方を説明するための図である。図で上段は表面パネル上部の断面図、下段は、全体斜視図である。図中、１’はサブボックス、７はサブ額縁フレームを示しているが、メイン額縁フレーム６についても同様である。
【００１９】
先ず、図（Ｂ）に示すように、表面パネル２２の下部の留めネジ２６を緩め、留めネジ２６の先端がパネル係止孔１５から外れた位置で、図示矢印方向に表面パネル２２の下部を回動させた後、図（Ｃ）に示すように、表面パネル２２を持ち上げると、その係合片２４ａがサブ額縁フレーム７の係合用スリット１４から外れ、表面パネル２２を取り外すことができる。
【００２０】
以上、本発明の実施の形態について説明したが、本発明はこれに限定されるものではなく、種々の変更が可能である。例えば、上記実施形態においては、メインボックス１の右側にサブボックス１’を連結する場合の額縁フレームの取付構造を示しているが、メインボックスの左側（この場合にはサブ額縁フレーム７を逆さまにして用いる）または両側にサブボックスを連結する場合に適用することもできるし、複数のサブボックスを順次連結する場合にも適用することができる。
【００２１】
【発明の効果】
以上の説明から明らかなように、本発明によれば、最小限の額縁フレームを用いて、外観意匠上の見栄えを良好にすることができる。また、表面パネルの傾きを調整することができる。
【図面の簡単な説明】
【図１】本発明の１実施形態を示す斜視図である。
【図２】図２は、図１の縦縁の詳細およびメイン額縁フレームとサブ額縁フレームの連結方法を説明するための図である。
【図３】図２の額縁フレームに取り付ける表面パネルを説明するための図である。
【図４】表面パネルの固定および取り外し方を説明するための図である。
【図５】表面パネルを取り付けた状態を示し、図（Ａ）は図（Ｂ）を上方から見た図、図（Ｂ）は正面図である。
【図６】従来の、ボックスへの額縁フレームの取付構造の例を説明するための図である。
【図７】本発明の課題を説明するための図である。
【符号の説明】
１…メインボックス、１’…サブボックス、６…メイン額縁フレーム
７…サブ額縁フレーム、９…フレーム本体、１０…縦縁、１１…パネル支持片
１２…ボックス固定用の長孔、１３…ネジ頭部貫通孔、１４…係合用スリット
１６…連結片、１９…取付片、２２…表面パネル、２３…調整用長孔
２４…係合部材、２５…調整ネジ
【図１】
2004194857.tif 000003
【図２】
2004194857.tif 000004
【図３】
2004194857.tif 000005
【図４】
2004194857.tif 000006
【図５】
2004194857.tif 000007
【図６】
2004194857.tif 000008
【図７】
2004194857.tif 000009